(57)【要約】【課題】温風乾燥ユニットを設けた場合にも、電力消費を削減可能な衛生洗浄装置を提供する。【解決手段】ケースカバーと、ケースプレートと、洗浄水を噴出する噴出ノズルと、開口を介してケースカバーの外部に温風を吹き出す温風乾燥ユニットと、を備え、温風乾燥ユニットは、ファンモータとハウジングとを有するファンユニットと、ファンユニットから噴出された空気を導くダクト部を有するダクトユニットと、ダクト部内に設けられ、ダクト部内を通過する空気を加熱する空気加熱部と、を有し、ハウジングは、ファンモータの少なくとも一部を露呈させる吸気口と、回転軸と直交する向きに設けられた噴出口と、を有し、温風乾燥ユニットは、吹き出し口が前方を向き、かつ吸気口が、ケースカバー内の熱源側を向いた状態で、ケースプレートの上に取り付けられることを特徴とする衛生洗浄装置である。【選択図】図８
2018031124.tif 000002
【特許請求の範囲】
【請求項１】
ケースカバーと、
前記ケースカバーの下端を塞ぐケースプレートと、
前記ケースカバー内に設けられるとともに、前記ケースカバーの内外に進退し、前記ケースカバーの外に進出した状態において、洗浄水を噴出する噴出ノズルと、
前記ケースカバー内に設けられ、開口を介して前記ケースカバーの外部に温風を吹き出す温風乾燥ユニットと、
を備え、
前記温風乾燥ユニットは、
ファンモータと、前記ファンモータを収容するハウジングと、を有するファンユニットと、
前記ファンユニットを保持する保持部と、前記ファンユニットから噴出された空気を前記ケースカバーの前記開口に導くダクト部と、吹き出し口が設けられた先端部と、を有するダクトユニットと、
前記ダクト部内に設けられ、前記ダクト部内を通過する空気を加熱する空気加熱部と、
を有し、
前記ハウジングは、
前記ファンモータの回転軸と平行な方向において前記ファンモータと対向し、前記ファンモータの少なくとも一部を露呈させる吸気口と、
前記回転軸と直交する向きに設けられた噴出口と、
を有し、
前記温風乾燥ユニットは、前記吹き出し口が前方を向き、かつ前記吸気口が、前記ケースカバー内の熱源側を向いた状態で、前記ケースプレートの上に取り付けられることを特徴とする衛生洗浄装置。
【請求項２】
前記温風乾燥ユニットは、上方に向かって弓なり状に反った状態で、前記ケースプレートに取り付けられることを特徴とする請求項１記載の衛生洗浄装置。
【請求項３】
前記ダクト部は、前方に向かって下降傾斜するとともに、前方に向かって上端側を下方に萎ませ、
前記ハウジングは、前記ファンモータの回転の外周側から噴出される風が、内周側から噴出される風よりも上方に配置されるように、前記ファンモータを保持することを特徴とする請求項１又は２に記載の衛生洗浄装置。
【請求項４】
前記ダクトユニットは、前記先端部の下端に設けられ、前方に向かって上方傾斜する上方傾斜部を有することを特徴とする請求項１〜３のいずれか１つに記載の衛生洗浄装置。
【請求項５】
前記ダクトユニットは、前記先端部の上端から上方及び左右方向に延びる縦板部を有することを特徴とする請求項１〜４のいずれか１つに記載の衛生洗浄装置。
【請求項６】
前記先端部は、前記ダクト部の前端に取り付け可能であることを特徴とする請求項１〜５のいずれか１つに記載の衛生洗浄装置。
【請求項７】
前記温風乾燥ユニットは、前記ケースプレートの左右方向の中央に対して左側又は右側にオフセットして配置され、
前記先端部は、前記吹き出し口から吹き出される風の向きを、左右方向の中央側に変化させるルーバを有し、
前記ダクト部は、前方に向かうに従って、左右方向の中央から離間する方向に傾斜することを特徴とする請求項１〜６のいずれか１つに記載の衛生洗浄装置。
【請求項８】
前記噴出ノズル及び前記温風乾燥ユニットの動作を制御する制御部をさらに備え、
前記温風乾燥ユニットは、前記ダクトユニットの外面に設けられ、前記温風乾燥ユニットと前記制御部との電気的な接続を中継するコネクタを保持する端子台を有することを特徴とする請求項１〜７のいずれか１つに記載の衛生洗浄装置。
【発明の詳細な説明】
【技術分野】
【０００１】
本発明の態様は、一般的に、衛生洗浄装置に関する。
【背景技術】
【０００２】
おしりなどの人体局部を洗浄する衛生洗浄装置において、温風乾燥ユニットを設け、洗浄後の人体局部を乾燥できるようにすることが知られている（例えば、特許文献１）。衛生洗浄装置では、多機能化が進められており、これにともなって使用電力も増加する傾向にある。このため、衛生洗浄装置では、温風乾燥ユニットを設けた場合においても、電力消費を削減できるようにすることが望まれる。
【先行技術文献】
【特許文献】
【０００３】
【特許文献１】特開２０１３−９６０６８号公報
【発明の概要】
【発明が解決しようとする課題】
【０００４】
本発明は、かかる課題の認識に基づいてなされたものであり、温風乾燥ユニットを設けた場合にも、電力消費を削減可能な衛生洗浄装置を提供することを目的とする。
【課題を解決するための手段】
【０００５】
第１の発明は、ケースカバーと、前記ケースカバーの下端を塞ぐケースプレートと、前記ケースカバー内に設けられるとともに、前記ケースカバーの内外に進退し、前記ケースカバーの外に進出した状態において、洗浄水を噴出する噴出ノズルと、前記ケースカバー内に設けられ、開口を介して前記ケースカバーの外部に温風を吹き出す温風乾燥ユニットと、を備え、前記温風乾燥ユニットは、ファンモータと、前記ファンモータを収容するハウジングと、を有するファンユニットと、前記ファンユニットを保持する保持部と、前記ファンユニットから噴出された空気を前記ケースカバーの前記開口に導くダクト部と、吹き出し口が設けられた先端部と、を有するダクトユニットと、前記ダクト部内に設けられ、前記ダクト部内を通過する空気を加熱する空気加熱部と、を有し、前記ハウジングは、前記ファンモータの回転軸と平行な方向において前記ファンモータと対向し、前記ファンモータの少なくとも一部を露呈させる吸気口と、前記回転軸と直交する向きに設けられた噴出口と、を有し、前記温風乾燥ユニットは、前記吹き出し口が前方を向き、かつ前記吸気口が、前記ケースカバー内の熱源側を向いた状態で、前記ケースプレートの上に取り付けられることを特徴とする衛生洗浄装置である。
【０００６】
この衛生洗浄装置によれば、ファンユニットが、ファンモータの駆動時に、熱源によって温められた空気を吸引する。これにより、空気加熱部において必要となる加熱量を抑え、電力消費を削減することができる。従って、電力消費を削減可能な衛生洗浄装置を提供することができる。
【０００７】
第２の発明は、第１の発明において、前記温風乾燥ユニットは、上方に向かって弓なり状に反った状態で、前記ケースプレートに取り付けられることを特徴とする衛生洗浄装置である。
【０００８】
この衛生洗浄装置によれば、温風乾燥ユニットをケースプレートに、より密着させて取り付けることができる。例えば、ファンモータの駆動時の温風乾燥ユニットの振動を抑制し、異音の発生などを抑制することができる。
【０００９】
第３の発明は、第１又は第２の発明において、前記ダクト部は、前方に向かって下降傾斜するとともに、前方に向かって上端側を下方に萎ませ、前記ハウジングは、前記ファンモータの回転の外周側から噴出される風が、内周側から噴出される風よりも上方に配置されるように、前記ファンモータを保持することを特徴とする衛生洗浄装置である。
【００１０】
この衛生洗浄装置によれば、ファンモータから噴出された風が、ダクト部内で滞留してしまうことを抑制することができる。例えば、圧力損失を抑制し、無駄な電力消費をより削減することができる。
【００１１】
第４の発明は、第１〜第３のいずれか１つの発明において、前記ダクトユニットは、前記先端部の下端に設けられ、前方に向かって上方傾斜する上方傾斜部を有することを特徴とする衛生洗浄装置である。
【００１２】
この衛生洗浄装置によれば、吹き出し口から吹き出される風を、より適切に人体局部に当てることができる。従って、無駄な風の発生を抑制し、電力消費をより削減することができる。
【００１３】
第５の発明は、第１〜第４のいずれか１つの発明において、前記ダクトユニットは、前記先端部の上端から上方及び左右方向に延びる縦板部を有することを特徴とする衛生洗浄装置である。
【００１４】
この衛生洗浄装置によれば、ケースカバー内に小水が侵入してしまうことを抑制することができる。
【００１５】
第６の発明は、第１〜第５のいずれか１つの発明において、前記先端部は、前記ダクト部の前端に取り付け可能であることを特徴とする衛生洗浄装置である。
【００１６】
この衛生洗浄装置によれば、先端部のみを取り替えることで、ケースカバーの形状が異なる複数の機種に、温風乾燥ユニットを適用することができる。
【００１７】
第７の発明は、第１〜第６のいずれか１つの発明において、前記温風乾燥ユニットは、前記ケースプレートの左右方向の中央に対して左側又は右側にオフセットして配置され、前記先端部は、前記吹き出し口から吹き出される風の向きを、左右方向の中央側に変化させるルーバを有し、前記ダクト部は、前方に向かうに従って、左右方向の中央から離間する方向に傾斜することを特徴とする衛生洗浄装置である。
【００１８】
この衛生洗浄装置によれば、吹き出し口から吹き出される風の整流性を高めることができる。吹き出し口から直進して出て行く風を抑制することができる。吹き出し口から吹き出される風の向きを、ルーバにより、左右方向の中央側に適切に変化させることができる。無駄な風の発生を抑制し、電力消費をより削減することができる。
【００１９】
第８の発明は、第１〜第７のいずれか１つの発明において、前記噴出ノズル及び前記温風乾燥ユニットの動作を制御する制御部をさらに備え、前記温風乾燥ユニットは、前記ダクトユニットの外面に設けられ、前記温風乾燥ユニットと前記制御部との電気的な接続を中継するコネクタを保持する端子台を有することを特徴とする衛生洗浄装置である。
【００２０】
この衛生洗浄装置によれば、ファンモータの駆動時のコネクタの振動を抑制し、異音の発生などを抑制することができる。
【発明の効果】
【００２１】
本発明の態様によれば、温風乾燥ユニットを設けた場合にも、電力消費を削減可能な衛生洗浄装置が提供される。
【図面の簡単な説明】
【００２２】
【図１】実施形態にかかるトイレ装置及び衛生洗浄装置を表す斜視図である。
【図２】実施形態にかかるトイレ装置及び衛生洗浄装置を表す斜視図である。
【図３】実施形態に係る衛生洗浄装置の要部構成を表すブロック図である。
【図４】実施形態に係る衛生洗浄装置の温風乾燥ユニットを表す斜視図である。
【図５】実施形態に係る衛生洗浄装置の温風乾燥ユニットを表す側面図である。
【図６】図６（ａ）〜図６（ｃ）は、ファンユニットを表す斜視図及び断面図である。
【図７】ダクトユニットを表す分解斜視図である。
【図８】実施形態に係る衛生洗浄装置を表す平面図である。
【図９】温風乾燥ユニットの取り付け状態を表す部分断面図である。
【図１０】実施形態に係る衛生洗浄装置の温風乾燥ユニットを表す断面図である。
【図１１】図１１（ａ）及び図１１（ｂ）は、温風乾燥ユニットの先端部を表す断面図である。
【図１２】図１２（ａ）及び図１２（ｂ）は、温風乾燥ユニットの先端部を表す側面図である。
【発明を実施するための形態】
【００２３】
以下、実施形態について図面を参照しつつ説明する。なお、各図面中、同様の構成要素には同一の符号を付して詳細な説明は適宜省略する。  
図１及び図２は、実施形態にかかるトイレ装置及び衛生洗浄装置を表す斜視図である。  図１及び図２に表したように、トイレ装置２は、洋式腰掛便器（以下説明の便宜上、単に「便器」と称する）４と、衛生洗浄装置１０と、を備える。衛生洗浄装置１０は、便器４の上に取り付けられる。衛生洗浄装置１０は、便器４に対して一体的に取り付けてもよいし、便器４に対して着脱可能に取り付けてもよい。なお、図２では、便宜的に、便器４の図示を省略している。
【００２４】
衛生洗浄装置１０は、本体部１２と、便座１４と、便蓋１６と、を有する。便蓋１６は、衛生洗浄装置１０に必要に応じて設けられ、省略可能である。便座１４と便蓋１６とは、本体部１２に対して回転可能に軸支されている。
【００２５】
ここで、本願明細書においては、便座１４に座った使用者からみて上方を「上方」とし、便座１４に座った使用者からみて下方を「下方」とする。また、開いた状態の便蓋１６に背を向けて便座１４に座った使用者からみて前方を「前方」とし、後方を「後方」とし、右側を「右側方」とし、左側を「左側方」とする。
【００２６】
便器４は、ボウル部４ａを有する。ボウル部４ａは、下方に凹む凹状である。便器４は、ボウル部４ａにおいて使用者の尿や便などの排泄物を受ける。
【００２７】
衛生洗浄装置１０の本体部１２は、便器４のボウル部４ａよりも後方の部分の上に取り付けられる。本体部１２は、ケースカバー２０を有する。本体部１２は、ケースカバー２０において、便座１４及び便蓋１６を回転可能に軸支する。
【００２８】
ケースカバー２０は、延出部２２を有する。延出部２２は、ボウル部４ａの後端部分よりも前方に延びる。延出部２２は、例えば、前方に向かって下降傾斜している。延出部２２は、湾曲凹面２４を有する。湾曲凹面２４は、延出部２２の左右方向の中央部に設けられ、ボウル部４ａの開口端の形状に沿って凹状に湾曲している。
【００２９】
図３は、実施形態に係る衛生洗浄装置の要部構成を表すブロック図である。  
図３に表したように、衛生洗浄装置１０は、電磁弁４０と、洗浄水加熱部４２と、流量切替弁４４と、流路切替弁４６と、噴出ノズル５０と、ノズルモータ５２と、ノズル洗浄室５４と、温風乾燥ユニット６０と、制御部６２と、電源回路６４と、操作部６６と、を有する。なお、図１では、衛生洗浄装置１０の水路系の要部構成と電気系の要部構成とを併せて表している。
【００３０】
噴出ノズル５０は、先端部に設けられた噴出口５６を有する。噴出ノズル５０は、給水源ＷＳから供給された洗浄水を噴出口５６から噴出して、便座１４に座った使用者の人体局部（例えば「おしり」など）を洗浄する。
【００３１】
例えば、図３に表したように、本実施形態にかかる衛生洗浄装置１０は、水道や貯水タンクなどの給水源ＷＳから供給された水を噴出ノズル５０の噴出口５６に導く流路７０を有する。流路７０の上流側には、電磁弁４０が設けられている。電磁弁４０は、開閉可能な電磁バルブであり、制御部６２からの指令に基づいて水の供給を制御する。つまり、電磁弁４０は、給水源ＷＳから供給される水の噴出ノズル５０への給水と止水とを切り替える。
【００３２】
電磁弁４０の下流には、洗浄水加熱部４２が設けられている。洗浄水加熱部４２は、ヒータにより、給水源ＷＳから供給された水を加熱して例えば規定の温度まで昇温させる。洗浄水加熱部４２は、給水源ＷＳから供給された水を、設定された温度の温水に変換する。
【００３３】
洗浄水加熱部４２は、例えばセラミックヒータなどを用いた瞬間加熱式（瞬間式）の熱交換器でもよいし、貯湯タンクを用いた貯湯加熱式の熱交換器でもよい。使用者は、操作部６６を操作することにより温水温度を設定することができる。
【００３４】
洗浄水加熱部４２の下流には、流量の調整を行う流量切替弁４４と、噴出ノズル５０やノズル洗浄室５４への給水の開閉や給水先の切替を行う流路切替弁４６と、が設けられている。流量切替弁４４は、噴出ノズル５０を流れる水の流量を調整する。流路切替弁４６は、給水先（流路の接続先）を噴出ノズル５０およびノズル洗浄室５４のいずれかに切り替えることができる。流量切替弁４４および流路切替弁４６は、１つのユニットとして設けられていてもよい。
【００３５】
流量切替弁４４および流路切替弁４６の下流には、噴出ノズル５０が設けられている。噴出ノズル５０は、ノズルモータ５２からの駆動力を受け、便器４のボウル部４ａ内に進出したり、ケースカバー２０の内部に後退することができる。つまり、ノズルモータ５２は、制御部６２からの指令に基づいて噴出ノズル５０を進退させることができる。
【００３６】
ケースカバー２０は、開口２０ａと、ノズルダンパ２５と、を有する。開口２０ａは、噴出ノズル５０と対向する位置に設けられる。噴出ノズル５０は、開口２０ａを介してケースカバー２０の内外に進退する。噴出ノズル５０は、ケースカバー２０の外に進出した状態において、噴出口５６から洗浄水を噴出する。
【００３７】
ノズルダンパ２５は、ケースカバー２０に回転可能に取り付けられ、開口２０ａを開閉する。ノズルダンパ２５は、例えば、噴出ノズル５０の後退時に、自重で垂下することにより、開口２０ａを塞ぐ。そして、ノズルダンパ２５は、例えば、噴出ノズル５０の進出時に、噴出ノズル５０に押されて回動することにより、開口２０ａを開放させる。ノズルダンパ２５は、例えば、駆動機構などを用い、制御部６２の制御に基づいて開閉させてもよい。
【００３８】
ノズル洗浄室５４は、その内部に設けられた図示しない吐水部から殺菌水あるいは水を噴射することにより、噴出ノズル５０の外周表面（胴体）を殺菌あるいは洗浄することができる。あるいは、ノズル洗浄室５４は、収納された状態の噴出ノズル５０の噴出口５６の部分を殺菌あるいは洗浄することができる。
【００３９】
温風乾燥ユニット６０は、同じく便座に座った使用者の人体局部（「おしり」など）に向けて温風を吹き出すことにより、洗浄で濡れた使用者の人体局部を乾燥させる。温風乾燥ユニット６０は、制御部６２に接続されている。温風乾燥ユニット６０は、制御部６２からの指令に基づいて温風の吹き出し、及び温風の停止を切り替える。
【００４０】
ケースカバー２０は、開口２０ｂと、温風ダンパ２６と、を有する。開口２０ｂは、温風乾燥ユニット６０と対向する位置に設けられる。温風乾燥ユニット６０は、開口２０ｂを介してケースカバー２０の外部に温風を吹き出す。温風ダンパ２６は、ケースカバー２０に回転可能に取り付けられ、開口２０ｂを開閉する。温風ダンパ２６は、例えば、温風の停止時に、自重で垂下することにより、開口２０ｂを塞ぐ。そして、温風ダンパ２６は、例えば、温風の吹き出し時に、風圧で押されて回動することにより、開口２０ｂを開放させる。温風ダンパ２６は、ノズルダンパ２５と同様に、制御部６２の制御に基づいて開閉させてもよい。
【００４１】
制御部６２は、電源回路６４を介して供給電源ＰＳから電力を供給され、操作部６６などからの信号に基づいて電磁弁４０、洗浄水加熱部４２、流量切替弁４４、流路切替弁４６、ノズルモータ５２、及び温風乾燥ユニット６０などの動作を制御する。例えば、制御部６２は、温風乾燥ユニット６０による温風の吹き出し、及び吹き出しの停止を制御する。
【００４２】
供給電源ＰＳは、例えば、交流電源である。供給電源ＰＳは、例えば、交流１００Ｖ（実効値）の商用電源である。電源回路６４は、例えば、供給電源ＰＳから供給された１００Ｖの交流電力を、５Ｖ、１２Ｖ、２４Ｖなどの直流電力に変換する。そして、電源回路６４は、変換後の５Ｖ、１２Ｖ、２４Ｖの各直流電力、及び１００Ｖの交流電力を、衛生洗浄装置１０の各部に供給する。これにより、電源回路６４からの電力供給に応じて、衛生洗浄装置１０の各部が動作する。
【００４３】
図４は、実施形態に係る衛生洗浄装置の温風乾燥ユニットを表す斜視図である。  
図５は、実施形態に係る衛生洗浄装置の温風乾燥ユニットを表す側面図である。  
図４及び図５に表したように、温風乾燥ユニット６０は、ファンユニット１００と、ダクトユニット１０２と、空気加熱部１０４と、温度センサ１０６と、駆動基板１０８と、を有する。なお、図５では、ダクトユニット１０２の一部を省略することにより、温風乾燥ユニット６０の内部構成を表している。
【００４４】
ファンユニット１００は、駆動に応じて空気を吸引し、吸引した空気を噴出する。ファンユニット１００は、制御部６２によって制御され、制御部６２の制御に基づいて空気を噴出する。制御部６２は、例えば、操作部６６で予め設定された風量に基づいて、ファンユニット１００を動作させる。
【００４５】
ダクトユニット１０２は、ファンユニット１００を保持する保持部１０２ａと、ファンユニット１００から噴出された空気をケースカバー２０の開口２０ｂに導くダクト部１０２ｂと、吹き出し口１０２ｄが設けられた先端部１０２ｃと、駆動基板１０８を収容する基板収容部１０２ｅと、を有する。先端部１０２ｃは、ダクト部１０２ｂの先端に設けられ、吹き出し口１０２ｄをケースカバー２０の開口２０ｂの直後に配置する。
【００４６】
空気加熱部１０４は、ダクト部１０２ｂ内に設けられ、ダクト部１０２ｂ内を通過する空気を加熱する。空気加熱部１０４には、例えば、ＡＣ１００Ｖ系のニクロム線ヒータが用いられる。
【００４７】
温度センサ１０６は、ダクト部１０２ｂ内において、空気加熱部１０４よりも空気の進行方向の下流側に設けられ、空気加熱部１０４によって加熱された空気の温度を検出する。温度センサ１０６は、例えば、制御部６２に接続され、検出結果を制御部６２に入力する。温度センサ１０６には、例えば、サーミスタが用いられる。
【００４８】
駆動基板１０８は、基板収容部１０２ｅ内に収容される。駆動基板１０８は、例えば、制御部６２及び空気加熱部１０４に接続され、制御部６２の指示に応じて空気加熱部１０４を駆動する。制御部６２は、例えば、操作部６６を介して予め設定された温度に基づいて、空気加熱部１０４を駆動させるとともに、温度センサ１０６の検出結果に応じて空気加熱部１０４の駆動をフィードバック制御する。これにより、使用者が設定した所望の風量及び温度の温風が、ケースカバー２０の開口２０ｂから噴出される。
【００４９】
ダクトユニット１０２には、端子台１１０が設けられている。端子台１１０は、例えば、ダクトユニット１０２の外面に着脱可能に取り付けられる。端子台１１０は、温風乾燥ユニット６０と制御部６２との電気的な接続を中継するコネクタ１１１〜１１３を保持する。端子台１１０は、例えば、ダクトユニット１０２に取り付けられた状態において、コネクタ１１１〜１１３をダクトユニット１０２に剛体結合させる。端子台１１０は、例えば、係合爪をコネクタ１１１〜１１３に設けられた溝に係合させることにより、コネクタ１１１〜１１３を着脱可能に保持する。
【００５０】
コネクタ１１１は、例えば、温度センサ１０６と制御部６２との電気的な接続を中継する。コネクタ１１２は、例えば、駆動基板１０８と制御部６２との電気的な接続を中継する。コネクタ１１３は、例えば、ファンユニット１００と制御部６２との電気的な接続を中継する。
【００５１】
温度センサ１０６には、例えば、コネクタ１１１を介して５Ｖの直流電圧が印加される。駆動基板１０８には、例えば、コネクタ１１２を介して５Ｖの直流電圧が印加される。ファンユニット１００には、例えば、コネクタ１１３を介して２４Ｖの直流電圧が印加される。
【００５２】
一方、空気加熱部１０４に１００Ｖの交流電圧が印加される場合、交流電圧は、図示を省略した配線やコネクタなどを介して駆動基板１０８に印加され、駆動基板１０８を介して空気加熱部１０４に印加される。このように、端子台１１０は、例えば、直流電圧系のコネクタ１１１〜１１３のみを保持する。
【００５３】
１００Ｖの交流電圧に用いられるコネクタでは、サイズが大きくなり、重量も重くなる。従って、端子台１１０は、比較的軽量な直流電圧系のコネクタ１１１〜１１３のみを保持する。これにより、各コネクタ１１１〜１１３を適切に保持することができる。例えば、ファンユニット１００の駆動にともなう振動により、保持したコネクタがガタついてしまうことを抑制することができる。
【００５４】
図６（ａ）〜図６（ｃ）は、ファンユニットを表す斜視図及び断面図である。  
図６（ａ）〜図６（ｃ）に表したように、ファンユニット１００は、ファンモータ１２０と、ファンモータ１２０を収容するハウジング１２２と、を有する。なお、図６（ｃ）は、図６（ａ）のＡ１−Ａ２線断面を表す。
【００５５】
ファンモータ１２０は、モータ部１２３と、回転軸ＲＡを中心にモータ部１２３に回転可能に設けられた羽根部１２４と、を有する。モータ部１２３は、例えば、直流のブラシレスモータである。羽根部１２４は、例えば、シロッコファンである。ファンモータ１２０の外形形状は、例えば、円板状である。ファンモータ１２０の回転軸ＲＡと平行な方向の長さ（幅）は、ファンモータ１２０の回転軸ＲＡと直交する方向の長さ（直径）よりも短い。
【００５６】
ハウジング１２２は、ファンモータ１２０を囲む箱状である。ハウジング１２２（ファンユニット１００）の外形形状は、ファンモータ１２０の外形形状よりも僅かに大きい程度に設定される。ハウジング１２２の回転軸ＲＡと平行な方向の長さＤ１は、ハウジング１２２の回転軸ＲＡと直交する方向の長さＤ２よりも短い。換言すれば、ファンユニット１００の回転軸ＲＡと平行な方向の長さＤ１は、ファンユニット１００の回転軸ＲＡと直交する方向の長さＤ２よりも短い。
【００５７】
ハウジング１２２は、モータ支持部１２５と、メイン吸気口１２６と、補助吸気口１２７と、噴出口１２８と、を有する。モータ支持部１２５は、回転軸ＲＡの一方側においてファンモータ１２０と対向して設けられ、ファンモータ１２０のモータ部１２３を支持する。
【００５８】
メイン吸気口１２６は、回転軸ＲＡの他方側においてファンモータ１２０と対向して設けられ、ファンモータ１２０の少なくとも一部を露呈させる。メイン吸気口１２６は、略円形の貫通孔である。メイン吸気口１２６の直径は、羽根部１２４の直径と同程度に形成される。すなわち、メイン吸気口１２６は、ファンモータ１２０の略全体を露呈させる。
【００５９】
補助吸気口１２７は、回転軸ＲＡの一方側においてモータ支持部１２５の周囲に設けられ、ファンモータ１２０の一部を露呈させる。補助吸気口１２７は、例えば、複数設けられる。各補助吸気口１２７は、モータ支持部１２５の周囲において、回転軸ＲＡ周りに並べて設けられる。この際、補助吸気口１２７の数を５つ以上とし、モータ支持部１２５が、放射状に延びる少なくとも５つの接続部１２９を介して周囲の部分と接続されるようにする。これにより、例えば、モータ部１２３の支持強度を高めることができる。例えば、モータ部１２３の駆動にともなう温風乾燥ユニット６０の振動を抑制することができる。
【００６０】
噴出口１２８は、回転軸ＲＡと直交する向きに設けられる。噴出口１２８は、回転軸ＲＡと直交する方向において、羽根部１２４の一部を露呈させる。
【００６１】
これにより、ファンユニット１００では、モータ部１２３を駆動させ、羽根部１２４を回転させることにより、メイン吸気口１２６及び各補助吸気口１２７から空気が吸引され、吸引された空気が噴出口１２８から噴出される。
【００６２】
図７は、ダクトユニットを表す分解斜視図である。  
図７に表したように、ダクトユニット１０２は、ファンモータ１２０の回転軸ＲＡと直交する断面において分けられた第１ダクト部材１４１と、第２ダクト部材１４２と、を有する。ダクトユニット１０２は、第１ダクト部材１４１と第２ダクト部材１４２とでファンユニット１００を挟むことにより、保持部１０２ａにおいてファンユニット１００を保持する。
【００６３】
第１ダクト部材１４１は、ファンユニット１００を保持した状態において、各補助吸気口１２７を露呈させる開口１４１ａを有する。第２ダクト部材１４２は、ファンユニット１００を保持した状態において、メイン吸気口１２６を露呈させる開口１４２ａを有する。
【００６４】
また、第１ダクト部材１４１は、複数の板バネ部１４３〜１４８を有する。板バネ部１４３〜１４６は、開口１４１ａの周囲に設けられ、ファンユニット１００を保持した状態において、回転軸ＲＡと平行な方向にファンユニット１００を押圧し、ファンユニット１００の回転軸ＲＡと平行な方向の位置を規制する。板バネ部１４３〜１４６は、換言すれば、ファンユニット１００を第２ダクト部材１４２に押し付け、ファンユニット１００の位置を規制する。
【００６５】
板バネ部１４７、１４８は、回転軸ＲＡと平行な方向に延び、ファンユニット１００を保持した状態において、回転軸ＲＡと直交する方向にファンユニット１００を押圧し、ファンユニット１００の回転軸ＲＡと直交する方向の位置を規制する。
【００６６】
このように、ダクトユニット１０２は、第１ダクト部材１４１と第２ダクト部材１４２とでファンユニット１００を挟むとともに、板バネ部１４３〜１４８でファンユニット１００の位置決めを行う。これにより、ファンモータ１２０の駆動にともなうファンユニット１００の振動を抑制することができる。板バネ部１４３〜１４８の数は、上記に限ることなく、ファンユニット１００の位置を決めることができる任意の数でよい。
【００６７】
ダクトユニット１０２の回転軸ＲＡと平行な方向の長さＤ３（図４参照）は、ファンユニット１００の回転軸ＲＡと平行な方向の長さＤ１よりも僅かに長い程度である。より詳しくは、長さＤ３は、長さＤ１に第１ダクト部材１４１及び第２ダクト部材１４２の肉厚分を足した長さである。
【００６８】
同様に、ダクトユニット１０２の回転軸ＲＡと直交する方向の長さＤ４（図４参照）は、ファンユニット１００の回転軸ＲＡと直交する方向の長さＤ２よりも僅かに長い程度である。
【００６９】
従って、ダクトユニット１０２の回転軸ＲＡと平行な方向の長さＤ３は、ダクトユニット１０２の回転軸ＲＡと直交する方向の長さＤ４よりも短い。換言すれば、温風乾燥ユニット６０の回転軸ＲＡと平行な方向の長さＤ３は、温風乾燥ユニット６０の回転軸ＲＡと直交する方向の長さＤ４よりも短い。
【００７０】
図８は、実施形態に係る衛生洗浄装置を表す平面図である。  
図８は、ケースカバー２０を省略した状態の衛生洗浄装置１０の平面図を表している。  図８に表したように、衛生洗浄装置１０は、ケースプレート２８を有する。ケースプレート２８は、ケースカバー２０の下端を塞ぐ。換言すれば、ケースカバー２０は、ケースプレート２８の上に取り付けられる。また、衛生洗浄装置１０において、電磁弁４０、洗浄水加熱部４２、流量切替弁４４、流路切替弁４６、噴出ノズル５０、温風乾燥ユニット６０、制御部６２、及び電源回路６４などの各部は、ケースプレート２８の上に取り付けられる。
【００７１】
噴出ノズル５０は、ケースプレート２８の左右方向の略中央に設けられる。電磁弁４０、洗浄水加熱部４２、流量切替弁４４、流路切替弁４６、制御部６２、及び電源回路６４は、噴出ノズル５０に対して左右の一方側に設けられる。この例において、これらは、噴出ノズル５０の右側に配置されている。
【００７２】
一方、温風乾燥ユニット６０は、噴出ノズル５０に対して左右の他方側に設けられる。温風乾燥ユニット６０は、噴出ノズル５０を挟んで、電磁弁４０、洗浄水加熱部４２、流量切替弁４４、流路切替弁４６、制御部６２、及び電源回路６４の反対側に配置される。
【００７３】
また、図８に表したように、温風乾燥ユニット６０は、回転軸ＲＡが略水平となり、吹き出し口１０２ｄが前方を向き、かつメイン吸気口１２６が、洗浄水加熱部４２、制御部６２、及び電源回路６４などの熱源側を向いた状態で、ケースプレート２８に取り付けられる。熱源は、衛生洗浄装置１０の動作時に、ケースカバー２０内において発熱する任意の部材でよい。熱源は、例えば、洗浄水加熱部４２、制御部６２、及び電源回路６４の少なくともいずれかを含む。
【００７４】
このように、メイン吸気口１２６を熱源側に向けて温風乾燥ユニット６０を取り付ける。すなわち、ファンユニット１００が、ファンモータ１２０の駆動時に、熱源によって温められた空気を吸引するようにする。これにより、空気加熱部１０４において必要となる加熱量を抑え、電力消費を削減することができる。
【００７５】
前述のように、温風乾燥ユニット６０の回転軸ＲＡと平行な方向の長さＤ３は、温風乾燥ユニット６０の回転軸ＲＡと直交する方向の長さＤ４よりも短い。従って、図８に示すように温風乾燥ユニット６０を取り付けた場合、温風乾燥ユニット６０の左右方向の長さ（幅）は、上下方向の長さ（高さ）よりも短くなる。換言すれば、温風乾燥ユニット６０は、ケースカバー２０内に縦型に配置される。これにより、例えば、温風乾燥ユニット６０をケースカバー２０内に効率良く配置することができる。ケースカバー２０内の収納スペースを効率良く活用することができる。
【００７６】
衛生洗浄装置１０は、例えば、第１脱臭ユニット８１と、第２脱臭ユニット８２と、をさらに備える。第１脱臭ユニット８１は、便器４のボウル部４ａ内の空気を吸引し、吸引した空気に含まれる臭気成分を低減させた後、ケースカバー２０の外に排出する。第２脱臭ユニット８２は、トイレ装置２が設置された室内の空気を吸引し、吸引した空気に含まれる臭気成分を低減させた後、ケースカバー２０の外に排出する。
【００７７】
温風乾燥ユニット６０は、噴出ノズル５０の左側に隣接して配置される。第１脱臭ユニット８１は、温風乾燥ユニット６０の左側に隣接して配置される。換言すれば、温風乾燥ユニット６０は、噴出ノズル５０と第１脱臭ユニット８１との間に配置される。第２脱臭ユニット８２は、第１脱臭ユニット８１の左側に隣接して配置される。温風乾燥ユニット６０、第１脱臭ユニット８１、及び第２脱臭ユニット８２の配置は、上記に限ることなく、任意の配置でよい。
【００７８】
図９は、温風乾燥ユニットの取り付け状態を表す部分断面図である。  
図４、図５、及び図９に表したように、温風乾燥ユニット６０のダクトユニット１０２は、係合部１０２ｆ、１０２ｇと、当接部１０２ｈと、をさらに有する。係合部１０２ｆは、ダクトユニット１０２の下部後端側に設けられ、ケースプレート２８の被係合部２８ａと係合する。係合部１０２ｇは、ダクトユニット１０２の下部前端側に設けられ、ケースプレート２８の被係合部２８ｂと係合する。
【００７９】
当接部１０２ｈは、ダクトユニット１０２の下部において、係合部１０２ｆと係合部１０２ｇとの間に設けられる。当接部１０２ｈは、各係合部１０２ｆ、１０２ｇが各被係合部２８ａ、２８ｂと係合した状態で、ケースプレート２８の上面２８ｕに当接する。
【００８０】
また、当接部１０２ｈは、係合部１０２ｆが被係合部２８ａと係合し、かつ当接部１０２ｈがケースプレート２８の上面２８ｕに当接した状態において、係合部１０２ｇが被係合部２８ｂよりも僅かに上方に位置するように、高さ方向の寸法が調整されている。
【００８１】
温風乾燥ユニット６０の取り付けにおいては、係合部１０２ｆを被係合部２８ａに係合させ、当接部１０２ｈをケースプレート２８の上面２８ｕに当接させる。この状態で、当接部１０２ｈを支点に、ダクトユニット１０２の前端部を僅かに下方に撓ませながら、係合部１０２ｇを被係合部２８ｂに係合させる。これにより、温風乾燥ユニット６０が、ケースプレート２８に取り付けられる。
【００８２】
上記のように取り付けを行うことにより、温風乾燥ユニット６０は、上方に向かって弓なり状に反った状態で、ケースプレート２８に取り付けられる。これにより、温風乾燥ユニット６０をケースプレート２８に、より密着させて取り付けることができる。例えば、温風乾燥ユニット６０を縦型に配置する場合にも、適切な取り付け強度を得ることができる。例えば、ファンモータ１２０の駆動時の温風乾燥ユニット６０の振動を抑制し、異音の発生などを抑制することができる。
【００８３】
図４、図５、及び図９に表したように、ファンモータ１２０の噴出口１２８は、羽根部１２４の回転方向ＲＤの接線方向に延びた位置に設けられる。そして、ハウジング１２２は、噴出口１２８を上方に配置した状態で、ファンモータ１２０を保持する。換言すれば、ハウジング１２２は、羽根部１２４の外周側から噴出される風が、羽根部１２４の内周側から噴出される風よりも上方に配置されるように、ファンモータ１２０を保持する。
【００８４】
ダクトユニット１０２のダクト部１０２ｂは、前方に向かって下降傾斜し、上から吹き降ろすように風を導く。また、ダクト部１０２ｂは、前方に向かって上端側を下方に萎ませる。ダクト部１０２ｂの上下方向の長さは、前方に向かうに従って短くなる。
【００８５】
温風乾燥ユニット６０を縦型に配置した場合、ケースプレート２０の開口２０ｂとの位置の関係上、上記のように、ダクト部１０２ｂの前端側を下方に萎ませる必要が生じる。また、ファンモータ１２０から噴出される風は、羽根部１２４の内周側よりも、羽根部１２４の外周側の方が速くなる傾向にある。
【００８６】
この際、風速の遅い側が、風速の速い側よりも上方に位置していると、遅い風が、ダクト部１０２ｂ内部の上部の傾斜面に当接することとなり、圧力損失が大きくなってしまう。また、空気加熱部１０４によって温められた温風が、ダクト部１０２ｂ内に滞留すると、例えば、ダクト部１０２ｂの温度が過度に上昇してしまう可能性が生じる。例えば、ダクト部１０２ｂの耐久性の低下を招いてしまう。
【００８７】
このため、上記のように、羽根部１２４の外周側から噴出される風が、羽根部１２４の内周側から噴出される風よりも上方に配置されるように、ファンモータ１２０を保持する。これにより、ファンモータ１２０から噴出された風が、ダクト部１０２ｂ内で滞留してしまうことを抑制することができる。例えば、圧力損失を抑制し、無駄な電力消費を削減することができる。
【００８８】
図１０は、実施形態に係る衛生洗浄装置の温風乾燥ユニットを表す断面図である。  
図１０は、図５のＢ１−Ｂ２線断面を表す。  
図１０に表したように、ダクトユニット１０２の先端部１０２ｃには、ルーバ１５０が設けられている。先端部１０２ｃは、例えば、複数のルーバ１５０を有する。前述のように、ケースプレート２８の左右方向の略中央には、噴出ノズル５０が設けられ、温風乾燥ユニット６０は、ケースプレート２８の左右方向の中央に対して左側にオフセットして配置されている。各ルーバ１５０は、吹き出し口１０２ｄから吹き出される風の向きを、左右方向の中央側に変化させる。すなわち、各ルーバ１５０は、吹き出し口１０２ｄから吹き出される風の向きを、使用者の「おしり」に向けて変化させる。
【００８９】
また、図１０に表したように、ダクト部１０２ｂは、前方に向かうに従って、左右方向の中央から離間する方向に傾斜する。これにより、例えば、ノズルダンパ２５と温風ダンパ２６とが同時に開いた場合の両者の接触を抑制できるように、開口２０ａ、２０ｂの間に適切な間隔を設定した場合にも、ファンユニット１００をより噴出ノズル５０側に寄せて配置することができる。ケースカバー２０内に無駄な空間が生じることを抑制し、ケースカバー２０内の収納スペースをより効率良く活用することができる。
【００９０】
また、左右方向の中央から離間するようにダクト部１０２ｂを傾斜させることにより、吹き出し口１０２ｄから吹き出される風の整流性を高めることもできる。吹き出し口１０２ｄから直進して出て行く風を抑制することができる。吹き出し口１０２ｄから吹き出される風の向きを、各ルーバ１５０により、左右方向の中央側により適切に変化させることができる。無駄な風の発生を抑制し、電力消費をより削減することができる。なお、温風乾燥ユニット６０は、ケースプレート２８の左右方向の中央に対して右側にオフセットさせて配置してもよい。
【００９１】
図１１（ａ）及び図１１（ｂ）は、温風乾燥ユニットの先端部を表す断面図である。  
図１１（ａ）は、温風乾燥ユニット６０の先端部１０２ｃの部分の垂直方向の断面を表し、図１１（ｂ）は、水平方向の断面を表している。  
図１１（ａ）に表したように、ダクトユニット１０２は、先端部１０２ｃの下端に設けられ、前方に向かって上方傾斜する上方傾斜部１５２を有する。上方傾斜部１５２は、吹き出し口１０２ｄから吹き出される風を、上方に向けて吹き上げさせる。これにより、吹き出し口１０２ｄから吹き出される風を、より適切に使用者の「おしり」に当てることができる。従って、無駄な風の発生を抑制し、電力消費をより削減することができる。
【００９２】
また、図１１（ａ）及び図１１（ｂ）に表したように、ダクトユニット１０２は、先端部１０２ｃの上端から上方及び左右方向に延びる縦板部１５４と、縦板部１５４の上部から前方に向かって延びる横板部１５６と、をさらに有する。
【００９３】
ケースカバー２０は、下方及び左右方向に延びる板部２０ｃを有する。板部２０ｃの下端は、縦板部１５４の上端よりも下方に位置する。板部２０ｃは、例えば、下方に向かって延び、縦板部１５４の上端の後方及び側方を覆う。換言すれば、板部２０ｃは、縦板部１５４とケースカバー２０との間に空く隙間を後方から覆う。
【００９４】
このように、ダクトユニット１０２に縦板部１５４を設ける。これにより、例えば、温風ダンパ２６に小水がかかり、図１１（ａ）及び図１１（ｂ）に表したように温風ダンパ２６が開いてしまった場合に、温風ダンパ２６とケースカバー２０との間に空く隙間（開口２０ｂ）から、ケースカバー２０内に小水が侵入してしまうことを抑制することができる。
【００９５】
ダクトユニット１０２に横板部１５６を設けることにより、ケースカバー２０内への小水の侵入をより抑制することができる。そして、ケースカバー２０に板部２０ｃを設けることにより、ケースカバー２０内への小水の侵入を、さらに抑制することができる。
【００９６】
図１２（ａ）及び図１２（ｂ）は、温風乾燥ユニットの先端部を表す側面図である。  
図１２（ａ）及び図１２（ｂ）に表したように、先端部１０２ｃは、ダクト部１０２ｂとは別体に形成され、ダクト部１０２ｂの前端に取り付け可能に構成されている。先端部１０２ｃは、例えば、係合部１６０を有する。先端部１０２ｃは、係合部１６０をダクト部１０２ｂに設けられた被係合部１６２に係合させることにより、ダクト部１０２ｂの前端に取り付けられる。先端部１０２ｃは、例えば、ダクト部１０２ｂの前端に着脱可能に取り付けられる。
【００９７】
このように、先端部１０２ｃをダクト部１０２ｂの前端に取り付け可能な構成とする。これにより、例えば、先端部１０２ｃのみを取り替えることで、ケースカバー２０の形状が異なる複数の機種に、温風乾燥ユニット６０を適用することができる。複数の機種間において部品の共用化を図り、温風乾燥ユニット６０及び衛生洗浄装置１０の製造コストを削減することができる。
【００９８】
この際、ルーバ１５０及び上方傾斜部１５２は、取り付け可能な先端部１０２ｃに設ける。これにより、異なる複数の機種において、使用者の「おしり」に適切に風を当てることができる。無駄な風の発生を抑制し、電力消費を削減することができる。
【００９９】
同様に、縦板部１５４及び横板部１５６は、取り付け可能な先端部１０２ｃに設ける。これにより、異なる複数の機種において、ケースカバー２０内への小水の侵入を適切に抑制することができる。
【０１００】
なお、先端部１０２ｃの取付方法は、上記に限ることなく、ダクト部１０２ｂの前端に取り付け可能な任意の方法でよい。先端部１０２ｃは、例えば、ダクト部１０２ｂの前端に取り付けた後、ダクト部１０２ｂから簡単には取り外せない構成としてもよい。例えば、先端部１０２ｃは、接着などによってダクト部１０２ｂの前端に固定してもよい。
【０１０１】
以上、説明したように、本実施形態に係る衛生洗浄装置１０によれば、ファンユニット１００が、ファンモータ１２０の駆動時に、熱源によって温められた空気を吸引する。これにより、空気加熱部１０４において必要となる加熱量を抑え、電力消費を削減することができる。電力消費を削減可能な衛生洗浄装置１０を提供することができる。
【０１０２】
また、衛生洗浄装置１０では、温風乾燥ユニット６０が、上方に向かって弓なり状に反った状態で、ケースプレート２８に取り付けられる。これにより、温風乾燥ユニット６０をケースプレート２８に、より密着させて取り付けることができる。例えば、ファンモータ１２０の駆動時の温風乾燥ユニット６０の振動を抑制し、異音の発生などを抑制することができる。
【０１０３】
また、衛生洗浄装置１０では、ダクト部１０２ｂが、前方に向かって下降傾斜するとともに、前方に向かって上端側を下方に萎ませ、ハウジング１２２が、ファンモータ１２０の回転の外周側から噴出される風が、内周側から噴出される風よりも上方に配置されるように、ファンモータ１２０を保持する。これにより、ファンモータ１２０から噴出された風が、ダクト部１０２ｂ内で滞留してしまうことを抑制することができる。例えば、圧力損失を抑制し、無駄な電力消費をより削減することができる。
【０１０４】
また、衛生洗浄装置１０では、ダクトユニット１０２が、上方傾斜部１５２を有する。これにより、吹き出し口１０２ｄから吹き出される風を、より適切に人体局部に当てることができる。従って、無駄な風の発生を抑制し、電力消費をより削減することができる。
【０１０５】
また、衛生洗浄装置１０では、ダクトユニット１０２が、縦板部１５４を有する。これにより、ケースカバー２０内に小水が侵入してしまうことを抑制することができる。
【０１０６】
また、衛生洗浄装置１０では、先端部１０２ｃが、ダクト部１０２ｂの前端に取り付け可能である。これにより、先端部１０２ｃのみを取り替えることで、ケースカバー２０の形状が異なる複数の機種に、温風乾燥ユニット６０を適用することができる。
【０１０７】
また、衛生洗浄装置１０では、ダクト部１０２ｂが、前方に向かうに従って、左右方向の中央から離間する方向に傾斜する。これにより、吹き出し口１０２ｄから吹き出される風の整流性を高めることができる。吹き出し口１０２ｄから直進して出て行く風を抑制することができる。吹き出し口１０２ｄから吹き出される風の向きを、ルーバ１５０により、左右方向の中央側に適切に変化させることができる。無駄な風の発生を抑制し、電力消費をより削減することができる。
【０１０８】
また、衛生洗浄装置１０では、温風乾燥ユニット６０が、端子台１１０を有する。これにより、ファンモータ１２０の駆動時の各コネクタ１１１〜１１３の振動を抑制し、異音の発生などを抑制することができる。
【０１０９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置２や衛生洗浄装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１０】
２ トイレ装置、  ４ 便器、  １０ 衛生洗浄装置、  １２ 本体部、  １４ 便座、  １６ 便蓋、  ２０ ケースカバー、  ２２ 延出部、  ２４ 湾曲凹面、  ２５ ノズルダンパ、  ２６ 温風ダンパ、  ２８ ケースプレート、  ４０ 電磁弁、  ４２ 洗浄水加熱部、  ４４ 流量切替弁、  ４６ 流路切替弁、  ５０ 噴出ノズル、  ５２ ノズルモータ、  ５４ ノズル洗浄室、  ５６ 噴出口、  ６０ 温風乾燥ユニット、  ６２ 制御部、  ６４ 電源回路、  ６６ 操作部、  ７０ 流路、  ８１ 第１脱臭ユニット、  ８２ 第２脱臭ユニット、  １００ ファンユニット、  １０２ ダクトユニット、  １０２ａ 保持部、  １０２ｂ ダクト部、  １０２ｃ 先端部、  １０２ｄ 吹き出し口、  １０４ 空気加熱部、  １０６ 温度センサ、  １０８ 駆動基板、  １１０ 端子台、  １１１〜１１３ コネクタ、  １２０ ファンモータ、  １２２ ハウジング、  １２３ モータ部、  １２４ 羽根部、  １２５ モータ支持部、  １２６ メイン吸気口、  １２７ 補助吸気口、  １２８ 噴出口、  １２９ 接続部、  １４１ 第１ダクト部材、  １４２ 第２ダクト部材、  １４３〜１４８ 板バネ部、  １５０ ルーバ、  １５２ 上方傾斜部、  １５４ 縦板部、  １５６ 横板部、  １６０ 係合部、  １６２ 被係合部
【図１】
2018031124.tif 000003
【図２】
2018031124.tif 000004
【図３】
2018031124.tif 000005
【図４】
2018031124.tif 000006
【図５】
2018031124.tif 000007
【図６】
2018031124.tif 000008
【図７】
2018031124.tif 000009
【図８】
2018031124.tif 000010
【図９】
2018031124.tif 000011
【図１０】
2018031124.tif 000012
【図１１】
2018031124.tif 000013
【図１２】
2018031124.tif 000014